(57)【特許請求の範囲】
【請求項１】
各サブキャリアの受信電力と全サブキャリアの平均受信電力との比に基づいて各サブキャリア独立に送信電力を制御する送信電力制御手段と、前記送信電力が制御された各サブキャリアの信号に対して逆フーリエ変換を行うことによりＯＦＤＭ信号を生成するＯＦＤＭ信号生成手段と、を具備することを特徴とするＯＦＤＭ送受信装置。
【請求項２】
前記送信電力制御手段は、前記平均受信電力を各サブキャリアの受信電力で除した係数を各サブキャリアの信号に乗算することを特徴とする請求項１記載のＯＦＤＭ送受信装置。
【請求項３】
前記送信電力制御手段は、前記係数が所定の上限値より大きい場合には、前記係数の代わりに前記上限値を各サブキャリアの信号に乗算することを特徴とする請求項２記載のＯＦＤＭ送受信装置。
【請求項４】
サブキャリア毎に受信電力が最大のアンテナを送信アンテナとして選択するアンテナ選択手段を具備することを特徴とする請求項１から請求項３のいずれかに記載のＯＦＤＭ送受信装置。
【請求項５】
請求項１から請求項４のいずれかに記載のＯＦＤＭ送受信装置を具備することを特徴とする基地局装置。
【請求項６】
請求項１から請求項４のいずれかに記載のＯＦＤＭ送受信装置を具備することを特徴とする通信端末装置。
【請求項７】
各サブキャリアの受信電力と全サブキャリアの平均受信電力との比に基づいて各サブキャリア独立に送信電力を制御する送信電力制御工程と、前記送信電力が制御された各サブキャリアの信号に対して逆フーリエ変換を行うことによりＯＦＤＭ信号を生成するＯＦＤＭ信号生成工程と、を具備することを特徴とするＯＦＤＭ送受信方法。
【発明の詳細な説明】
【０００１】
【発明の属する技術分野】
本発明は、ＯＦＤＭ方式を用いたディジタル無線通信システムの通信機器に使用するＯＦＤＭ送受信装置及びＯＦＤＭ送受信方法に関する。
【０００２】
【従来の技術】
近年、ディジタル無線通信システムにおいて、マルチキャリアディジタル変調方式の一種で、ノイズやマルチパス妨害に強いＯＦＤＭ（Orthogonal Frequency Division Multiplexing：直交周波数分割多重）方式の採用が検討されている。
【０００３】
以下、従来のＯＦＤＭ送受信装置の信号処理について、図面を用いて説明する。図２７は、従来のＯＦＤＭ送受信装置の構成を示すブロック図である。なお、図２７におけるサブキャリア数を４とする。
【０００４】
まず、送信側において、一次変調された送信信号は、Ｓ／Ｐ変換回路１１にてサブキャリアの数、すなわち、サブキャリアＡ〜Ｄの４つに並列変換される。
【０００５】
各サブキャリアＡ〜Ｄの送信信号は、それぞれマッピング回路１２〜１５にてマッピングされ、ＩＦＦＴ変換回路１６にて逆高速フーリエ変換され、Ｄ／Ａ変換回路１７にてアナログ信号に変換され、増幅された後に図示しない送信アンテナから無線送信される。
【０００６】
また、受信側において、図示しない受信アンテナに受信された信号は、Ａ／Ｄ変換回路５１にてディジタル信号に変換され、ＦＦＴ変換回路５２にて高速フーリエ変換される。
【０００７】
ＦＦＴ変換回路５２から出力された各サブキャリアＡ〜Ｄの受信信号は、それぞれ検波器５３〜５６にて検波処理され、判定器５７〜６０にて２値化判定により復調され、Ｐ／Ｓ変換回路６１にて、１つの系列の信号に変換される。
【０００８】
図２８は、従来のＯＦＤＭ送受信装置のスペクトラムを示す図である。図２８（ａ）は、自局の送信時のスペクトラムを示し、図２８（ｂ）は、相手局の受信時における信号のスペクトラムを示している。図１５に示すように、マルチパス環境下では、送信電力が一定であってもサブキャリアによって受信電力に偏差が生じる。
【０００９】
【発明が解決しようとする課題】
従来のＯＦＤＭ送受信装置は、受信電力が一定しないので、受信電力が落ち込んでいるサブキャリアに誤りが集中し、誤り率特性が劣化するという問題を有する。
【００１０】
本発明はかかる点に鑑みてなされたものであり、受信時におけるサブキャリア間の電力をほぼ一定にし、誤り率特性の向上を図ることができるＯＦＤＭ送受信装置及びＯＦＤＭ送受信方法を提供することを目的とする。
【００１１】
【課題を解決するための手段】
本発明のＯＦＤＭ送受信装置は、各サブキャリアの受信電力と全サブキャリアの平均受信電力との比に基づいて各サブキャリア独立に送信電力を制御する送信電力制御手段と、前記送信電力が制御された各サブキャリアの信号に対して逆フーリエ変換を行うことによりＯＦＤＭ信号を生成するＯＦＤＭ信号生成手段と、を具備する構成を採る。また、本発明のＯＦＤＭ送受信方法は、各サブキャリアの受信電力と全サブキャリアの平均受信電力との比に基づいて各サブキャリア独立に送信電力を制御する送信電力制御工程と、前記送信電力が制御された各サブキャリアの信号に対して逆フーリエ変換を行うことによりＯＦＤＭ信号を生成するＯＦＤＭ信号生成工程と、を具備する方法を採る。
【００１２】
【発明の実施の形態】
以下、本発明の実施の形態について、添付図面を参照して詳細に説明する。なお、以下の説明において、サブキャリア数を４とする。
【００６５】
（実施の形態１）
図１は、本発明の実施の形態１におけるＯＦＤＭ送受信装置の構成を示すブロック図である。図１において、Ｓ／Ｐ（Serial-Parallel）変換回路１０１は、一次変調された１つの系列の送信信号を複数系列の信号に変換する。なお、本実施の形態では、１つの系列の信号を４系列の信号に変換する。
【００６６】
マッピング回路１０２〜１０５は、それぞれＳ／Ｐ変換されたサブキャリアＡ〜Ｄの信号をマッピングする。乗算器１０６〜１０９は、それぞれマッピングされたサブキャリアＡ〜Ｄの信号に所定の係数の信号（以下、「係数信号」という）を乗算する。
【００６７】
ＩＦＦＴ回路１１０は、乗算器１０６〜１０９から出力された送信信号に対し逆高速フーリエ変換（Inverse Fast Fourier Transform）を行う。Ｄ／Ａ変換回路１１１は、ＩＦＦＴ回路１１０の出力信号に対しＤ／Ａ（ディジタル／アナログ）変換することにより送信信号を出力する。
【００６８】
Ａ／Ｄ変換回路１５１は、受信信号に対しＡ／Ｄ（アナログ／ディジタル）変換を行う。ＦＦＴ回路１５２は、ディジタル信号に変換された信号に対し高速フーリエ変換（Fast Fourier Transform）を行う。
【００６９】
検波器１５３〜１５６は、それぞれＦＦＴ回路１５２から出力されたサブキャリアＡ〜Ｄの信号に対し検波処理を行う。判定器１５７〜１６０は、それぞれ検波されたサブキャリアＡ〜Ｄの信号に対し判定を行って復調する。
【００７０】
Ｐ／Ｓ（Parallel-Serial）変換回路１６１は、復調された複数系列の信号を１つの系列の信号に変換する。なお、本実施の形態では、４系列の信号を１つの系列の信号に変換する。
【００７１】
制御回路１６２は、ＦＦＴ回路１５２の出力信号に基づいて、各サブキャリアの送信信号に乗算する係数を算出し、算出した係数信号を乗算器１０６〜１０９に出力する。
【００７２】
次に、制御回路１６２の詳細な構成について、図２のブロック図を用いて説明する。
【００７３】
図２において、包絡線生成回路２０１〜２０４は、ＦＦＴ回路１５２より出力されたサブキャリアＡ〜Ｄの受信信号の包絡線を生成する。平均化回路２０５は、包絡線生成回路２０１〜２０４の出力信号の平均値を算出する。
【００７４】
除算器２０６〜２０９は、平均化回路２０５から出力された平均値をそれぞれ包絡線生成回路２０１〜２０４の出力信号で除算することにより、各サブキャリアの係数信号を算出する。メモリ２１０〜２１３は、それぞれ除算器２０６〜２０９から出力された係数信号を一時的に保存し、乗算器１０６〜１０９に出力する。
【００７５】
次に、実施の形態１におけるＯＦＤＭ送受信装置の信号処理について、図１及び図２を用いて説明する。
【００７６】
送信側において、まず、一次変調された送信信号は、Ｓ／Ｐ変換回路１０１にてサブキャリアの数、すなわち、サブキャリアＡ〜Ｄの４つに並列変換される。
【００７７】
各サブキャリアＡ〜Ｄの送信信号は、それぞれマッピング回路１０２〜１０５にてマッピングされ、乗算器１０６〜１０９にて係数信号を乗算され、ＩＦＦＴ変換回路１１０に出力される。
【００７８】
ＩＦＦＴ変換回路１１０に入力した各信号はそれぞれ逆高速フーリエ変換され、Ｄ／Ａ変換回路１１１にてアナログ信号に変換され、増幅された後にアンテナから無線送信される。
【００７９】
受信側において、受信信号は、Ａ／Ｄ変換回路１５１にてディジタル信号に変換され、ＦＦＴ変換回路１５２にて高速フーリエ変換される。
【００８０】
ＦＦＴ変換回路１５２から出力された各サブキャリアＡ〜Ｄの受信信号は、それぞれ検波器１５３〜１５６にて検波処理され、判定器１５７〜１６０にて２値化判定により復調され、Ｐ／Ｓ変換回路１６１にて、１つの系列の信号に変換される。
【００８１】
また、制御回路１６２では、包絡線生成回路２０１〜２０４にて、ＦＦＴ変換回路１５２から出力された各サブキャリアＡ〜Ｄの受信信号の包絡線が生成され、平均化回路２０５にて、包絡線生成回路２０１〜２０４の出力信号の平均値が算出される。
【００８２】
そして、除算器２０６〜２０９にて、包絡線生成回路２０１〜２０４の出力信号を平均値で除すことにより、送信信号に乗算する係数信号が算出される。算出された各サブキャリアＡ〜Ｄの係数信号は、一時的にメモリ２１０〜２１３に保存された後、乗算器１０６〜１０９に出力される。
【００８３】
図３は、実施の形態１におけるＯＦＤＭ送受信装置から送信される信号のスペクトラムの一例を示す図である。図３（ａ）は、自局の送信時における信号のスペクトラムを示し、図３（ｂ）は、相手局の受信時における信号のスペクトラムを示している。
【００８４】
図３に示すように、相手局からの受信信号の電力からマルチパス環境を推定し、サブキャリア毎に送信電力に重み付けして信号を送信すれば、相手局に受信された時点での電力をほぼ一定にすることができる。
【００８５】
このように、相手局からの受信信号の電力に基づいて、相手局に受信された時点での電力が一定になるように、サブキャリア毎に送信電力に重み付けして信号を送信することにより、誤り率特性を向上することができる。
【００８６】
特に、本装置を基地局装置に用いてサブキャリア毎に送信電力制御を行うことにより、通信端末装置のハード規模を増大させることなく、下り回線の誤り率特性を向上させることができる。
【００８７】
（実施の形態２）
図４は、本発明の実施の形態２におけるＯＦＤＭ送受信装置の制御回路１６２周りの構成を示すブロック図である。なお、図４に示すＯＦＤＭ送受信装置において、図２に示すＯＦＤＭ送受信装置と共通する部分については、図２と同一符号を付して説明を省略する。
【００８８】
図４に示すＯＦＤＭ送受信装置は、図２のＯＦＤＭ送受信装置と比較して、制御回路１６２内に接続スイッチ２２１〜２２４を追加した構成を採る。
【００８９】
包絡線生成器２０１〜２０４は生成した包絡線を接続スイッチ２２１〜２２４に出力する。接続スイッチ２２１〜２２４は、タイミング信号に基づいて、包絡線生成器２０１〜２０４から出力された各サブキャリアＡ〜Ｄの信号の最終シンボルのみを平均化回路２０５及び除算器２０６〜２０９に出力する。
【００９０】
平均化回路２０５は、受信信号の最終シンボルにおける電力の平均値を算出する。除算器２０６〜２０９は、平均化回路２０５から出力された受信信号の最終シンボルにおける電力の平均値を受信信号の最終シンボルにおける信号の電力で除することにより、各サブキャリアの係数信号を算出する。
【００９１】
このように、受信信号の最終シンボルの電力を用いて、サブキャリアの係数信号を算出することにより、回線変動による誤差を低減でき、実施の形態１よりさらに誤り率の向上を図ることができる。
【００９２】
（実施の形態３）
図５は、本発明の実施の形態３におけるＯＦＤＭ送受信装置の制御回路１６２周りの構成を示すブロック図である。なお、図５に示すＯＦＤＭ送受信装置において、図２に示すＯＦＤＭ送受信装置と共通する部分については、図２と同一符号を付して説明を省略する。
【００９３】
図５に示すＯＦＤＭ送受信装置は、図２のＯＦＤＭ送受信装置と比較して、制御回路１６２内に平均化回路２３１〜２３４を追加した構成を採る。
【００９４】
包絡線生成器２０１〜２０４は生成した包絡線を平均化回路２３１〜２３４に出力する。平均化回路２３１〜２３４は、タイミング信号に基づいて、包絡線生成器２０１〜２０４から出力された各サブキャリアＡ〜Ｄの信号の平均値を算出し、平均化回路２０５及び除算器２０６〜２０９に出力する。
【００９５】
平均化回路２０５は、平均化回路２３１〜２３４の値を平均化する。除算器２０６〜２０９は、平均化回路２０５から出力された受信信号の最終シンボルにおける電力の平均値を平均化回路２３１〜２３４から出力された信号の電力で除することにより、各サブキャリアの係数信号を算出する。
【００９６】
このように、受信信号の電力の平均値を用いて、サブキャリアの係数信号を算出することにより、雑音の影響による精度の劣化を低減でき、実施の形態１及び実施の形態２よりさらに誤り率の向上を図ることができる。
【００９７】
（実施の形態４）
図６は、本発明の実施の形態４におけるＯＦＤＭ送受信装置の制御回路１６２周りの構成を示すブロック図である。なお、図６に示すＯＦＤＭ送受信装置において、図２に示すＯＦＤＭ送受信装置と共通する部分については、図２と同一符号を付して説明を省略する。
【００９８】
図６に示すＯＦＤＭ送受信装置は、図２のＯＦＤＭ送受信装置と比較して、制御回路１６２内にディジタル減算器２４１〜２４４、判定器２４５〜２４８及び切替スイッチ２４９〜２５２を追加した構成を採る。
【００９９】
平均化回路２０５は、算出した平均値を除算器２０６〜２０９及びディジタル減算器２４１〜２４４に出力する。ディジタル減算器２４１〜２４４は、それぞれ包絡線生成器２０１〜２０４の出力信号から平均化回路２０５の出力信号を減算し、減算結果を判定器２４５〜２４８に出力する。
【０１００】
判定器２４５〜２４８は、それぞれディジタル減算器２４１〜２４４の符号が負の場合、すなわち、受信電力が平均値を下回った場合、メモリ２１０〜２１３に保存された係数信号を乗算器１０６〜１０９に出力し、それ以外の場合は、係数「１．０」を乗算器１０６〜１０９に出力するように、切替スイッチ２４９〜２５２を制御する。
【０１０１】
このように、受信電力が平均値を下回ったサブキャリアの送信信号にのみ係数を乗算することにより、実施の形態１よりさらに誤り率の向上を図ることができる。
【０１０２】
なお、実施の形態４は、実施の形態２又は実施の形態３と組み合わせることができる。
【０１０３】
（実施の形態５）
図７は、本発明の実施の形態５におけるＯＦＤＭ送受信装置の制御回路１６２周りの構成を示すブロック図である。なお、図７に示すＯＦＤＭ送受信装置において、図６に示すＯＦＤＭ送受信装置と共通する部分については、図６と同一符号を付して説明を省略する。
【０１０４】
図７に示すＯＦＤＭ送受信装置は、図６のＯＦＤＭ送受信装置と比較して、制御回路１６２内に閾値を設定し、減算器２６１を追加した構成を採る。
【０１０５】
平均化回路２０５は、算出した平均値を除算器２０６〜２０９及び減算器２６１に出力する。減算器２６１は、平均化回路２０５の出力信号から予め設定された閾値を減算し、減算結果をディジタル減算器２４１〜２４４に出力する。ディジタル減算器２４１〜２４４は、それぞれ包絡線生成器２０１〜２０４の出力信号から減算器２６１の出力信号を減算し、減算結果を判定器２４５〜２４８に出力する。
【０１０６】
このように、予め閾値を設定し、受信電力が平均値から閾値を減算した値をさらに下回ったサブキャリアの送信信号に係数を乗算することにより、送信電力の規格が厳しく、装置全体の電力を下げなければならない場合に対処することができる。
【０１０７】
なお、実施の形態５は、実施の形態２又は実施の形態３と組み合わせることができる。
【０１０８】
（実施の形態６）
図８は、本発明の実施の形態６におけるＯＦＤＭ送受信装置の制御回路１６２周りの構成を示すブロック図である。なお、図８に示すＯＦＤＭ送受信装置において、図７に示すＯＦＤＭ送受信装置と共通する部分については、図７と同一符号を付して説明を省略する。
【０１０９】
図８に示すＯＦＤＭ送受信装置は、図７のＯＦＤＭ送受信装置と比較して、制御回路１６２内に回線品質が良い場合に用いる閾値１及び回線品質が悪い場合に用いる閾値２とを設定し、切替スイッチ２７１を追加した構成を採る。
【０１１０】
切替スイッチ２７１は、回線品質信号に基づいて、回線品質が良い場合には閾値１を減算器２６１に出力し、回線品質が悪い場合には閾値２を減算器２６１に出力する。減算器２６１は、平均化回路２０５の出力信号から閾値１又は閾値２を減算し、減算結果をディジタル減算器２４１〜２４４に出力する。
【０１１１】
このように、回線品質に基づいて、係数信号を乗算するか否かの判定に用いる閾値を適応的に変化させることにより、実施の形態５よりさらに誤り率特性の向上を図ることができる。
【０１１２】
なお、実施の形態６は、実施の形態２又は実施の形態３と組み合わせることができる。
【０１１３】
（実施の形態７）
図９は、本発明の実施の形態７におけるＯＦＤＭ送受信装置の制御回路１６２周りの構成を示すブロック図である。なお、図９に示すＯＦＤＭ送受信装置において、図２に示すＯＦＤＭ送受信装置と共通する部分については、図２と同一符号を付して説明を省略する。
【０１１４】
図９に示すＯＦＤＭ送受信装置は、図２のＯＦＤＭ送受信装置と比較して、制御回路１６２内に判定器２８１〜２８４及び切替スイッチ２８５〜２８８を追加した構成を採る。
【０１１５】
除算器２０６〜２０９は、算出した各サブキャリアの係数信号をメモリ２１０〜２１３及び判定器２８１〜２８４に出力する。
【０１１６】
判定器２８１〜２８４は、それぞれ各サブキャリアの係数信号が、予め設定された上限値（例えば、「２．０」）以下の場合、メモリ２１０〜２１３に保存された係数信号を乗算器１０６〜１０９に出力し、上限値をこえた場合は、上限値を乗算器１０６〜１０９に出力するように、切替スイッチ２８５〜２８８を制御する。
【０１１７】
このように、サブキャリアの送信信号に乗算する係数に上限を設けることにより、ピーク電力を抑えることができ、送信アンプの容量を抑えることができる。
【０１１８】
（実施の形態８）
図１０は、本発明の実施の形態８におけるＯＦＤＭ送受信装置の制御回路１６２周りの構成を示すブロック図である。なお、図１０に示すＯＦＤＭ送受信装置において、図２に示すＯＦＤＭ送受信装置と共通する部分については、図２と同一符号を付して説明を省略する。
【０１１９】
図１０に示すＯＦＤＭ送受信装置は、図２のＯＦＤＭ送受信装置と比較して、制御回路１６２内に判定器２８１〜２８４及び切替スイッチ２８５〜２８８を追加した構成を採る。
【０１２０】
除算器２０６〜２０９は、算出した各サブキャリアの係数信号をメモリ２１０〜２１３及び判定器２８１〜２８４に出力する。
【０１２１】
判定器２８１〜２８４は、それぞれ各サブキャリアの係数信号が、予め設定された下限値（例えば、「０．２」）以上の場合、メモリ２１０〜２１３に保存された係数信号を乗算器１０６〜１０９に出力し、下限値を下回った場合は、下限値を乗算器１０６〜１０９に出力するように、切替スイッチ２８５〜２８８を制御する。
【０１２２】
このように、サブキャリアの送信信号に乗算する係数に下限を設けることにより、上り回線と下り回線の時間間隔が離れている場合等に、利得制御を行うことによって却ってサブキャリア間のレベル差が大きくなってしまうことを回避することができる。
【０１２３】
なお、実施の形態８は、実施の形態２から実施の形態７と適宜組み合わせることができる。
【０１２４】
（実施の形態９）
図１１は、本発明の実施の形態９におけるＯＦＤＭ送受信装置の制御回路１６２周りの構成を示すブロック図である。なお、図１１に示すＯＦＤＭ送受信装置において、図２に示すＯＦＤＭ送受信装置と共通する部分については、図２と同一符号を付して説明を省略する。
【０１２５】
図１１に示すＯＦＤＭ送受信装置は、図２のＯＦＤＭ送受信装置と比較して、制御回路１６２内に接続スイッチ２９１〜２９４及び切替スイッチ２９５〜２９８を追加した構成を採る。
【０１２６】
包絡線生成器２０１〜２０４は生成した包絡線を接続スイッチ２２１〜２２４に出力する。接続スイッチ２２１〜２２４は、タイミング信号に基づいて、それぞれ重要な情報を載せたパケットを送信する場合のみ包絡線生成器２０１〜２０４から出力された各サブキャリアＡ〜Ｄの信号を平均化回路２０５及び除算器２０６〜２０９に出力する。
【０１２７】
切替スイッチ２９５〜２９８は、タイミング信号に基づいて、それぞれ重要な情報を載せたパケットを送信する場合、メモリ２１０〜２１３に保存された係数信号を乗算器１０６〜１０９に出力し、それ以外の場合は、係数「１．０」を乗算器１０６〜１０９に出力する。
【０１２８】
このように、重要な情報を載せたパケットを送信する場合のみ、各サブキャリアの送信信号に係数を乗算する利得制御を行うことにより、例えば、フレームの前半に下り回線を配置し、後半に上り回線を配置するようなフレームフォーマットの場合であっても、係数をユーザ数分確保する必要がなく、メモリ容量を抑えることができるので、ハード規模をほとんど増大させずに重要な情報の誤り率特性を向上させることができる。そして、確保する必要がある係数が、最大１ユーザ分であればメモリを復調回路と共有できる。
なお、実施の形態９は、実施の形態２から実施の形態８と適宜組み合わせることができる。
【０１２９】
（実施の形態１０）
図１２は、本発明の実施の形態１０におけるＯＦＤＭ送受信装置の構成を示すブロック図である。なお、図１２に示すＯＦＤＭ送受信装置において、図１に示すＯＦＤＭ送受信装置と共通する部分については、図１と同一符号を付して説明を省略する。
【０１３０】
図１２に示すＯＦＤＭ送受信装置は、図１のＯＦＤＭ送受信装置と比較して、乗算器１０６〜１０９の代りに切替スイッチ１２１〜１２４及び振幅を２倍にする１ビットシフト回路１２５〜１２８を用いる構成を採る。また、係数信号を出力する制御回路１６２の代りに制御信号を出力する制御回路１７１を用いる構成を採る。
【０１３１】
図１３は、本発明の実施の形態１０におけるＯＦＤＭ送受信装置の制御回路１７１周りの構成を示すブロック図である。なお、図１３に示すＯＦＤＭ送受信装置の制御回路１７１において、図６に示すＯＦＤＭ送受信装置の制御回路１６２と共通する部分については、図６と同一符号を付して説明を省略する。
【０１３２】
図１３に示すＯＦＤＭ送受信装置の制御回路１７１は、図６に示すＯＦＤＭ送受信装置の制御回路１６２と比較して、除算器２０６〜２０９、メモリ２１０〜２１３及び切替スイッチ２４９〜２５２を削除した構成を採り、判定器２４５〜２４８の制御信号を出力する。そして、それぞれディジタル減算器２４１〜２４４の符号が負の場合、すなわち、受信電力が平均値を下回った場合、マッピング回路１０２〜１０５の出力信号を１ビットシフト回路１２５〜１２８に出力し、それ以外の場合は、マッピング回路１０２〜１０５の出力信号をそのままＩＦＦＴ回路１１０に出力するように、切替スイッチ１２１〜１２４を制御する。
【０１３３】
このように、乗算器を用いずに、ビットシフト回路と加減算器により振幅を変化させることにより、回路規模を低減することができる。また、「２．０」、「１．５」、「１．２５」等、ビットシフト回路と加減算器を組み合わせることにより実現できる振幅の倍率を複数用意し、この振幅の倍率を各サブキャリアの受信電力に基づいて切替制御することにより適応的に選択することにより、細かい送信電力制御が可能となる。
【０１３４】
なお、実施の形態１０は、実施の形態２又は実施の形態３と組み合わせることができる。また、実施の形態５のように、減算器２６１を追加し、平均化回路２０５の出力信号から予め設定された閾値を減算した値を用いて判定を行ってもよい。さらに、実施の形態６のように、切替スイッチ２７１を追加し、判定に用いる閾値を適応的に変化させてもよい。
【０１３５】
（実施の形態１１）
図１４は、本発明の実施の形態１１におけるＯＦＤＭ送受信装置の構成を示すブロック図である。なお、図１４に示すＯＦＤＭ送受信装置において、図１に示すＯＦＤＭ送受信装置と共通する部分については、図１と同一符号を付して説明を省略する。
【０１３６】
図１４に示すＯＦＤＭ送受信装置は、図１のＯＦＤＭ送受信装置と比較して、接続スイッチ１８１〜１８４を追加した構成を採る。
【０１３７】
接続スイッチ１８１〜１８４は、チャネル種別信号に基づいて、接続又は切断し、ＦＦＴ変換回路１５２から出力された各サブキャリアＡ〜Ｄの受信信号の中で、例えばコントロールチャネル等、特定のチャネルのもののみを制御回路１６２に出力する。
【０１３８】
これにより、回線変動が遅い場合等、複数バーストにおいて、振幅の重み付けを行う係数を同じ値としても特性がほとんど劣化しない場合に、特定のチャネルのみ係数を算出する処理を行うことにより、平均の消費電力を削減することができる。
【０１３９】
なお、実施の形態１１は、実施の形態２から実施の形態１０のいずれかと組み合わせることができる。
【０１４０】
（実施の形態１２）
図１５は、本発明の実施の形態１２におけるＯＦＤＭ送受信装置の構成を示すブロック図である。なお、図１５に示すＯＦＤＭ送受信装置において、図１に示すＯＦＤＭ送受信装置と共通する部分については、図１と同一符号を付して説明を省略する。
【０１４１】
図１５に示すＯＦＤＭ送受信装置は、図１のＯＦＤＭ送受信装置と比較して、接続スイッチ１９１〜１９４を追加した構成を採る。
【０１４２】
接続スイッチ１９１〜１９４は、タイミング信号に基づいて、接続又は切断し、ＦＦＴ変換回路１５２から出力された各サブキャリアＡ〜Ｄの受信信号の中で、パイロットシンボルのみを制御回路１６２に出力する。
【０１４３】
これにより、パイロットシンボルのみを用いて係数を決定することができる。よって、１６ＱＡＭのように位相に加えて振幅にも情報が重畳されている変調方式の場合であっても、一般にパイロットシンボルは変調多値数が少ないので、係数が変調信号によって変化することがなく、特性の劣化を防止することができる。
【０１４４】
なお、実施の形態１２は、実施の形態２から実施の形態１０のいずれかと組み合わせることができる。
【０１４５】
（実施の形態１３）
図１６は、本発明の実施の形態１３におけるＯＦＤＭ送受信装置の構成を示すブロック図である。なお、図１６に示すＯＦＤＭ送受信装置において、図１に示すＯＦＤＭ送受信装置と共通する部分については、図１と同一符号を付して説明を省略する。
【０１４６】
図１６に示すＯＦＤＭ送受信装置は、図１のＯＦＤＭ送受信装置と比較して、判定器４０１及び接続スイッチ４１１〜４１４を追加した構成を採る。
【０１４７】
判定器４０１は、回線品質の良し悪しを数値で表した回線品質信号と予め設定された閾値Ａとを大小比較し、切替スイッチ４１１〜４１４の中で、回線品質信号が閾値Ａを上回ったユーザに対応するもののみを接続するように切替スイッチ４１１〜４１４を制御する。なお、回線品質の良し悪しは、復調における硬判定前後の信号のレベル差等により数値化することができる。
【０１４８】
接続スイッチ４１１〜４１４は、判定器４０１の制御に基づいて、接続又は切断し、ＦＦＴ変換回路１５２から出力された各サブキャリアＡ〜Ｄの受信信号の中で、回線品質が悪いもののみを制御回路１６２に出力する。
【０１４９】
これにより、回線品質の悪いユーザのみ利得制御できるので、一定の誤り率特性を満足したままでメモリ容量の削減を図ることができる。
【０１５０】
なお、実施の形態１３は、実施の形態２から実施の形態１２のいずれかと組み合わせることができる。
【０１５１】
（実施の形態１４）
図１７は、本発明の実施の形態１４におけるＯＦＤＭ送受信装置の構成を示すブロック図である。なお、図１７に示すＯＦＤＭ送受信装置において、図１６に示すＯＦＤＭ送受信装置と共通する部分については、図１６と同一符号を付して説明を省略する。
【０１５２】
図１７に示すＯＦＤＭ送受信装置は、図１６のＯＦＤＭ送受信装置と比較して、平均化回路４０２を追加した構成を採る。
【０１５３】
平均化回路４０２は、回線品質信号を複数フレームにわたって平均化し、回線品質信号の平均値を算出する。
【０１５４】
判定器４０１は、回線品質信号の平均値と予め設定された閾値Ａとを大小比較し、切替スイッチ４１１〜４１４の中で、回線品質信号の平均値が閾値Ａを上回ったユーザに対応するもののみを接続するように切替スイッチ４１１〜４１４を制御する。
【０１５５】
これにより、実施の形態１３よりもさらに精度よく、利得制御を行うべきユーザの選定を行うことができる。
【０１５６】
なお、実施の形態１４は、実施の形態２から実施の形態１２のいずれかと組み合わせることができる。
【０１５７】
（実施の形態１５）
図１８は、本発明の実施の形態１５におけるＯＦＤＭ送受信装置の構成を示すブロック図である。なお、図１８に示すＯＦＤＭ送受信装置において、図１６に示すＯＦＤＭ送受信装置と共通する部分については、図１６と同一符号を付して説明を省略する。
【０１５８】
図１８に示すＯＦＤＭ送受信装置は、図１６のＯＦＤＭ送受信装置と比較して、判定器４０３及び論理積回路４０４を追加した構成を採る。
【０１５９】
判定器４０１は、回線品質信号と予め設定された閾値Ａとを大小比較し、比較結果を示す信号を論理積回路４０４に出力する。判定器４０３は、回線品質信号と予め設定された閾値Ｂとを大小比較し、比較結果を示す信号を論理積回路４０４に出力する。なお、閾値Ｂは閾値Ａよりも高い値とする。
【０１６０】
論理積回路４０４は、切替スイッチ４１１〜４１４の中で、回線品質信号が閾値Ａを上回り、かつ、閾値Ｂを下回ったユーザに対応するもののみを接続するように切替スイッチ４１１〜４１４を制御する。
【０１６１】
接続スイッチ４１１〜４１４は、論理積回路４０４の制御に基づいて、接続又は切断し、ＦＦＴ変換回路１５２から出力された各サブキャリアＡ〜Ｄの受信信号の中で、回線品質が極度に悪いものを除いて、ユーザ回線品質が悪いもののみを制御回路１６２に出力する。
【０１６２】
これにより、回線品質が極度に悪いユーザについては利得制御を行わないので、利得制御によって誤り率特性を向上できるユーザのみを選定することができる。
【０１６３】
なお、実施の形態１５は、実施の形態２から実施の形態１２及び実施の形態１４のいずれかと組み合わせることができる。
【０１６４】
（実施の形態１６）
図１９は、本発明の実施の形態１６におけるＯＦＤＭ送受信装置の構成を示すブロック図である。なお、図１９に示すＯＦＤＭ送受信装置において、図１９に示すＯＦＤＭ送受信装置と共通する部分については、図１６と同一符号を付して説明を省略する。
【０１６５】
図１９に示すＯＦＤＭ送受信装置は、図１６のＯＦＤＭ送受信装置と比較して、ＣＲＣ検査回路４０５、カウンタ４０６、判定器４０７及び論理積回路４０８を追加した構成を採る。
【０１６６】
判定器４０１は、回線品質信号と予め設定された閾値Ａとを大小比較し、比較結果を示す信号を論理積回路４０８に出力する。
【０１６７】
ＣＲＣ検査回路４０５は、Ｐ／Ｓ変換回路１６１から出力された信号の検査ビットの正誤を検査し、検査ビットが誤っている場合にパルス信号をカウンタ４０６に出力する。
【０１６８】
カウンタ４０６は、例えば１０フレーム等の所定期間にわたって、ＣＲＣ検査回路４０５から出力されたパルス信号の数を計数し、計数値を判定器４０７に出力する。
【０１６９】
判定器４０７は、カウンタ４０６から出力された計数値と予め設定された閾値Ｃとを大小比較し、比較結果を示す信号を論理積回路４０８に出力する。
【０１７０】
論理積回路４０８は、計数値が閾値Ｃを下回った場合に、切替スイッチ４１１〜４１４の中で、回線品質信号が閾値Ａを下回ったユーザに対応するもののみを接続するように切替スイッチ４１１〜４１４を制御する。
【０１７１】
接続スイッチ４１１〜４１４は、論理積回路４０８の制御に基づいて、接続又は切断し、ＦＦＴ変換回路１５２から出力された各サブキャリアＡ〜Ｄの受信信号の中で、回線品質が悪いもののみを制御回路１６２に出力する。
【０１７２】
これにより、ＣＲＣ検査の結果、誤っている検査ビットが少なく、伝搬環境がよい場合にのみ利得制御を行うので、実施の形態１３よりもさらに精度よく、利得制御を行うべきユーザの選定を行うことができる。
【０１７３】
なお、実施の形態１６は、実施の形態２から実施の形態１２及び実施の形態１４、実施の形態１５いずれかと組み合わせることができる。
【０１７４】
（実施の形態１７）
図２０は、本発明の実施の形態１７におけるＯＦＤＭ送受信装置の構成を示すブロック図である。なお、図２０に示すＯＦＤＭ送受信装置において、図１に示すＯＦＤＭ送受信装置と共通する部分については、図１と同一符号を付して説明を省略する。
【０１７５】
図２０に示すＯＦＤＭ送受信装置は、図１のＯＦＤＭ送受信装置と比較して、メモリ４２１、判定器４２２及び切替スイッチ４３１〜４３４を追加した構成を採る。
【０１７６】
メモリ４２１は、制御回路１６２から出力された係数を一時的に保存し、新たに係数を入力したときに保存中の係数を出力することにより係数を更新する。
【０１７７】
判定器４２２は、制御回路１６２から出力された今回の係数とメモリ４２１から出力された前回の係数との差である係数差を算出し、係数差と予め設定された閾値Ｄとを大小比較し、係数差が閾値Ｄを下回った場合に制御回路１６２から出力された係数を乗算器１０６〜１０９に出力し、それ以外の場合に係数「１．０」を乗算器１０６〜１０９に出力するように、切替スイッチ４３１〜４３４を制御する。
【０１７８】
切替スイッチ４３１〜４３４は、判定器４２２の制御に基づいて、制御回路１６２から出力された係数あるいは係数「１．０」を乗算器１０６〜１０９に出力する。
【０１７９】
これにより、回線変動が上り回線と下り回線との時間間隔に比べて速い場合等、上り回線と下り回線の回線状態が大きく異なるサブキャリアの利得制御を行わないので、誤り率特性の劣化を防ぐことができる。
【０１８０】
なお、実施の形態１７は、実施の形態２から実施の形態１６のいずれかと組み合わせることができる。
【０１８１】
（実施の形態１８）
実施の形態１８は、サブキャリア毎に送信電力に重み付けを行う処理と複数のアンテナブランチにより選択ダイバーシチを行う処理とを組み合わせた形態である。なお、実施の形態１８では、送信及び受信のブランチ数を２として説明する。
【０１８２】
図２１は、本発明の実施の形態１８におけるＯＦＤＭ送受信装置の構成を示すブロック図である。なお、図２１に示すＯＦＤＭ送受信装置において、図１に示すＯＦＤＭ送受信装置と共通する部分については、図１と同一符号を付して説明を省略する。
【０１８３】
図２１に示すＯＦＤＭ送受信装置は、図１のＯＦＤＭ送受信装置と比較して、送信側に切替スイッチ５２１〜５２４、ＩＦＦＴ回路５１０及びＤ／Ａ変換回路５１１とを追加し、受信側にＡ／Ｄ変換回路５５１、ＦＦＴ回路５５２及び切替スイッチ５７１〜５７４を追加した構成を採る。また、係数信号を出力する制御回路１６２の代りに制御信号及び係数信号を出力する制御回路５６２を用いる構成を採る。
【０１８４】
切替スイッチ５２１〜５２４は、制御信号に基づいて、それぞれマッピングされたサブキャリアＡ〜Ｄの信号の送信ブランチを切替える。
【０１８５】
ＩＦＦＴ回路５１０は、ＩＦＦＴ回路１１０と同様に、入力した送信信号に対し逆高速フーリエ変換を行う。Ｄ／Ａ変換回路５１１は、Ｄ／Ａ変換回路１１１と同様に、ＩＦＦＴ回路５１０の出力信号に対しＤ／Ａ（ディジタル／アナログ）変換することによりブランチ２の送信信号を出力する。
【０１８６】
Ａ／Ｄ変換回路５５１は、Ａ／Ｄ変換回路１５１と同様に、ブランチ２の受信信号に対しＡ／Ｄ（アナログ／ディジタル）変換を行う。ＦＦＴ回路５５２は、ＦＦＴ回路１５２と同様に、ディジタル信号に変換されたブランチ２の信号に対し高速フーリエ変換を行う。
【０１８７】
切替スイッチ５７１〜５７４は、制御信号に基づいて、各サブキャリア毎にＦＦＴ回路１５２又はＦＦＴ回路５５２の出力信号のいずれかを検波器１５３〜１５６に出力する。
【０１８８】
制御回路５６２は、ＦＦＴ回路１５２及びＦＦＴ回路５５２の出力信号に基づいて、各サブキャリアの送信信号に乗算する係数を算出するとともに送信ブランチを選択する。そして、係数信号を乗算器１０６〜１０９に出力し、制御信号を切替スイッチ５２１〜５２４及び切替スイッチ５７１〜５７４に出力する。
【０１８９】
次に、制御回路５６２の詳細な構成について、図２２のブロック図を用いて説明する。なお、図２２に示すＯＦＤＭ送受信装置の制御回路５６２において、図２に示すＯＦＤＭ送受信装置の制御回路１６２と共通する部分については、図２と同一符号を付して説明を省略する。
【０１９０】
図２２に示すＯＦＤＭ送受信装置の制御回路５６２は、図２に示すＯＦＤＭ送受信装置の制御回路１６２と比較して、ディジタル減算器６１１〜６１４、判定器６１５〜６１８及び切替スイッチ６１９〜６２２を追加した構成を採る。
【０１９１】
ディジタル減算器６１１〜６１４は、それぞれ包絡線生成回路２０１〜２０４の出力信号から包絡線生成回路６０１〜６０４の出力信号を減算し、減算結果を判定器６１５〜６１９に出力する。
【０１９２】
判定器６１５〜６１９は、ディジタル減算器６１１〜６１４の出力信号の符号が正の場合、サブキャリアＡの送信信号の最適なブランチはブランチ１であると判定し、それ以外の場合、サブキャリアＡの送信信号の最適なブランチはブランチ２であると判定する。そして、判定結果を載せた制御信号を切替スイッチ６１９〜６２２、切替スイッチ５２１〜５２４及び切替スイッチ５７１〜５７４を出力する。
【０１９３】
切替スイッチ６１９〜６２２は、判定器６１５〜６１９から出力された制御信号に基づいて、各サブキャリア毎に包絡線生成回路２０１〜２０４又は包絡線生成回路６０１〜６０４の出力信号のいずれかを平均化回路２０５及び除算器２０６〜２０９に出力する。
【０１９４】
このように、サブキャリア毎に送信電力に重み付けを行う処理と送信ダイバーシチとを組み合わせることにより、誤り率特性を飛躍的に向上させることができる。
【０１９５】
特に、本装置を基地局装置に用いることにより、通信端末装置のハード規模を増大させることなく、下り回線の誤り率特性を向上させることができる。
【０１９６】
なお、実施の形態１８では、送信及び受信のブランチ数を２として説明したが、本発明は、サブキャリア数並びに送信及び受信のブランチ数に制限はない。また、本発明は、受信側のみ選択ダイバーシチを用いることも可能である。
【０１９７】
（実施の形態１９）
図２３は、本発明の実施の形態１９におけるＯＦＤＭ送受信装置の構成を示すブロック図である。なお、図２３に示すＯＦＤＭ送受信装置において、図２１に示すＯＦＤＭ送受信装置と共通する部分については、図２１と同一符号を付して説明を省略する。
【０１９８】
図２３に示すＯＦＤＭ送受信装置は、図２１のＯＦＤＭ送受信装置と比較して、Ｐ／Ｓ変換回路７０１、カウンタ７０２、判定器７０３及び切替スイッチ７１１〜７１４を追加した構成を採る。
【０１９９】
Ｐ／Ｓ変換回路７０１は、制御信号５６２から出力された送信ブランチを選択する制御信号を直列に変換してカウンタ７０２に出力する。
【０２００】
カウンタ７０２は、Ｐ／Ｓ変換回路７０１から出力された制御信号に基づき、送信ブランチ毎に、選択されたサブキャリア数を計数し、計数値を判定器７０３に出力する。
【０２０１】
判定器７０３は、カウンタ７０２から出力された計数値の最大値と予め設定された閾値Ｅとを大小比較し、計数値の最大値が閾値Ｅを上回った場合に、当該ブランチから送信するサブキャリアには係数「１．０」を乗算し、それ以外のサブキャリアには、制御回路５６２から出力された係数を乗算するように、切替スイッチ７１１〜７１４を制御する。
【０２０２】
切替スイッチ７１１〜７１４は、判定器７０３の制御に基づいて、制御回路５６２から出力された係数あるいは係数「１．０」を乗算器１０６〜１０９に出力する。
【０２０３】
ここで、特定のブランチで送信するサブキャリア数が非常に多くなる確率は非常に低いので、この場合に利得制御を行わなくても誤り率は殆ど劣化しない。よって、本実施の形態のように、特定のブランチで送信するサブキャリア数が非常に多い場合に利得制御を行わないことにより、誤り率特性の向上とピーク電力低減との両立を図ることができる。
【０２０４】
（実施の形態２０）
図２４は、本発明の実施の形態２０におけるＯＦＤＭ送受信装置の構成を示すブロック図である。なお、図２４に示すＯＦＤＭ送受信装置において、図２２に示すＯＦＤＭ送受信装置と共通する部分については、図２２と同一符号を付して説明を省略する。
【０２０５】
図２４に示すＯＦＤＭ送受信装置は、図２２のＯＦＤＭ送受信装置と比較して、制御回路５６２内にＰ／Ｓ変換回路６３１、カウンタ６３２、判定器６３３、切替スイッチ６３４、判定器６３５及び切替スイッチ６３６〜６３９を追加した構成を採る。
【０２０６】
Ｐ／Ｓ変換回路６３１は、判定器６１５〜６１８から出力された判定結果を載せた制御信号を直列に変換してカウンタ６３２に出力する。
【０２０７】
カウンタ６３２は、Ｐ／Ｓ変換回路６３１から出力された制御信号に基づき、送信ブランチ毎に、送信するサブキャリア数を計数し、計数値を判定器６３３に出力する。
【０２０８】
判定器６３３は、カウンタ６３２から出力された計数値の最大値と予め設定された閾値Ｆとを大小比較し、計数値の最大値が閾値Ｆを下回った場合に上限値Ａ（例えば、「２．０」）を選択し、それ以外の場合に上限値Ｂ（例えば、「１．５」）を選択するように、切替スイッチ６３４を制御する。なお、上限値Ａは上限値Ｂより高い値とする。
【０２０９】
切替スイッチ６３４は、判定器６３３の制御に基づいて、上限値Ａあるいは上限値Ｂを判定器６３５及び切替スイッチ６３６〜６３９に出力する。
【０２１０】
判定器６３５は、それぞれ各サブキャリアの係数信号が、切替スイッチ６３４から出力された上限値以下の場合、メモリ２１０〜２１３に保存された係数信号を乗算器１０６〜１０９に出力し、上限値をこえた場合は、上限値を乗算器１０６〜１０９に出力するように、切替スイッチ６３５〜６３９を制御する。
【０２１１】
このように、特定のブランチで送信するサブキャリア数が多少によって、送信信号に乗算する係数の上限値を変化させることにより、上限値を固定した場合に比べ、誤り率特性を維持しながらピーク電力の低減を図ることができる。
【０２１２】
（実施の形態２１）
図２５は、本発明の実施の形態２１におけるＯＦＤＭ送受信装置の構成を示すブロック図である。なお、図２５に示すＯＦＤＭ送受信装置において、図２１に示すＯＦＤＭ送受信装置と共通する部分については、図２１と同一符号を付して説明を省略する。
【０２１３】
図２５に示すＯＦＤＭ送受信装置は、図２１のＯＦＤＭ送受信装置と比較して、受信側において、切替スイッチ５７１〜５７４を削除し、検波器５５３〜５５６及び合成回路５８１〜５８４を追加した構成を採る。
【０２１４】
ＦＦＴ回路１５２は、ディジタル信号に変換されたブランチ１の信号に対し高速フーリエ変換を行い、各サブキャリアＡ〜Ｄの受信信号を検波器１５３〜１５６に出力する。同様に、ＦＦＴ回路５５２は、ディジタル信号に変換されたブランチ２の信号に対し高速フーリエ変換を行い、各サブキャリアＡ〜Ｄの受信信号を検波器５５３〜５５６に出力する。
【０２１５】
検波器１５３〜１５６は、それぞれＦＦＴ回路１５２から出力されたサブキャリアＡ〜Ｄの信号に対し検波処理を行う。同様に、検波器５５３〜５５６は、それぞれＦＦＴ回路５５２から出力されたサブキャリアＡ〜Ｄの信号に対し検波処理を行う。
【０２１６】
合成回路５８１〜５８４は、それぞれ検波器１５３〜１５６及び検波器５５３〜５５６にて検波されたサブキャリアＡ〜Ｄの信号を合成する。判定器１５７〜１６０は、それぞれ合成されたサブキャリアＡ〜Ｄの信号に対し判定を行って復調する。
【０２１７】
このように、受信側でサブキャリア毎に合成ダイバーシチを行うことにより、誤り率特性を向上させることができる。特に、本装置を基地局装置に用いた場合、移動局側で利得制御を行わなくても上り回線の誤り率を向上させることができるので、移動局のハード規模を増大する必要がなくなる。
【０２１８】
（実施の形態２２）
図２６は、本発明の実施の形態２２におけるＯＦＤＭ送受信装置の要部構成を示すブロック図である。図２６は、受信側のサブキャリアＡの信号に関する部分についてのみ示す。なお、図２６に示すＯＦＤＭ送受信装置において、図２１、図２２に示すＯＦＤＭ送受信装置と共通する部分については、図２１、図２２と同一符号を付して説明を省略する。
図２６に示すＯＦＤＭ送受信装置は、図２１、図２２のＯＦＤＭ送受信装置と比較して、受信側において、合成回路５８１の代りに乗算器５９１、５９２及び加算器５９３を用い、制御回路５６２内に平均化回路３０１及び除算器３０２、３０３を追加した構成を採る。
【０２１９】
平均化回路３０１は、包絡線生成回路２０１の出力信号と包絡線生成回路６０１の出力信号との平均値を算出する。除算器３０２は、包絡線生成回路２０１の出力信号を平均化回路３０１から出力された平均値で除算することにより、サブキャリアＡブランチ１の重み係数を算出する。除算器３０３は、包絡線生成回路６０１の出力信号を平均化回路３０１から出力された平均値で除算することにより、サブキャリアＡブランチ２の重み係数を算出する。
【０２２０】
乗算器５９１は、検波器１５３にて検波されたサブキャリアＡブランチ１の信号にサブキャリアＡブランチ１の重み係数を乗算する。乗算器５９２は、検波器５５３にて検波されたサブキャリアＡブランチ２の信号にサブキャリアＡブランチ２の重み係数を乗算する。加算器５９３は、乗算器５９１及び乗算器５９２から出力された重み付けられた信号を加算して、ブランチＡの信号を判定器１５７に出力する。
【０２２１】
これにより、サブキャリア毎に各ブランチで受信された信号を最大比合成できるので、実施の形態１８よりさらに誤り率特性を向上させることができる。
【０２２２】
なお、上記の各実施の形態では、サブキャリア数を４として説明したが、本発明は、サブキャリア数に制限はない。
【０２２３】
【発明の効果】
以上説明したように、本発明のＯＦＤＭ送受信装置及びＯＦＤＭ送受信方法によれば、サブキャリア毎に送信電力に重み付けを行い、相手局での受信電力をほぼ一定に保つことができるため、誤り率特性の向上を図ることができる。
【図面の簡単な説明】
【図１】本発明の実施の形態１におけるＯＦＤＭ送受信装置の構成を示すブロック図
【図２】実施の形態１におけるＯＦＤＭ送受信装置の制御回路周りの構成を示すブロック図
【図３】実施の形態１におけるＯＦＤＭ送受信装置から送信される信号のスペクトラムの一例を示す図
【図４】実施の形態２におけるＯＦＤＭ送受信装置の制御回路周りの構成を示すブロック図
【図５】実施の形態３におけるＯＦＤＭ送受信装置の制御回路周りの構成を示すブロック図
【図６】実施の形態４におけるＯＦＤＭ送受信装置の制御回路周りの構成を示すブロック図
【図７】実施の形態５におけるＯＦＤＭ送受信装置の制御回路周りの構成を示すブロック図
【図８】実施の形態６におけるＯＦＤＭ送受信装置の制御回路周りの構成を示すブロック図
【図９】実施の形態７におけるＯＦＤＭ送受信装置の制御回路周りの構成を示すブロック図
【図１０】実施の形態８におけるＯＦＤＭ送受信装置の制御回路周りの構成を示すブロック図
【図１１】実施の形態９におけるＯＦＤＭ送受信装置の制御回路周りの構成を示すブロック図
【図１２】実施の形態１０におけるＯＦＤＭ送受信装置の構成を示すブロック図
【図１３】実施の形態１０におけるＯＦＤＭ送受信装置の制御回路周りの構成を示すブロック図
【図１４】実施の形態１１におけるＯＦＤＭ送受信装置の構成を示すブロック図
【図１５】実施の形態１２におけるＯＦＤＭ送受信装置の構成を示すブロック図
【図１６】実施の形態１３におけるＯＦＤＭ送受信装置の構成を示すブロック図
【図１７】実施の形態１４におけるＯＦＤＭ送受信装置の構成を示すブロック図
【図１８】実施の形態１５におけるＯＦＤＭ送受信装置の構成を示すブロック図
【図１９】実施の形態１６におけるＯＦＤＭ送受信装置の構成を示すブロック図
【図２０】実施の形態１７におけるＯＦＤＭ送受信装置の構成を示すブロック図
【図２１】実施の形態１８におけるＯＦＤＭ送受信装置の構成を示すブロック図
【図２２】実施の形態１８におけるＯＦＤＭ送受信装置の制御回路周りの構成を示すブロック図
【図２３】実施の形態１９におけるＯＦＤＭ送受信装置の構成を示すブロック図
【図２４】実施の形態２０におけるＯＦＤＭ送受信装置の制御回路周りの構成を示すブロック図
【図２５】実施の形態２１におけるＯＦＤＭ送受信装置の構成を示すブロック図
【図２６】実施の形態２２におけるＯＦＤＭ送受信装置の要部構成を示すブロック図
【図２７】従来のＯＦＤＭ送受信装置の構成を示すブロック図
【図２８】従来のＯＦＤＭ送受信装置から送信される信号のスペクトラムの一例を示す図
【符号の説明】
１０１  Ｓ／Ｐ変換回路
１０２〜１０５  マッピング回路
１０６〜１０９  乗算器
１１０、５１０  ＩＦＦＴ回路
１１１、５１１  Ｄ／Ａ変換回路
１２１〜１２４  切替スイッチ
１２５〜１２８  ビットシフト回路
１５１、５５１  Ａ／Ｄ変換回路
１５２、５５２  ＦＦＴ回路
１５３〜１５６、５５３〜５５６  検波器
１５７〜１６０  判定器
１６１、６３１、７０１  Ｐ／Ｓ変換回路
１６２、１７１、５６２  制御回路
１８１〜１８４、４１１〜４１４  接続スイッチ
２０１〜２０４  包絡線生成回路
２０５、３０１、４０２  平均化回路
２０６〜２０９、３０２、３０３  除算器
２１０〜２１３、４２１  メモリ
２２１〜２２４、２９１〜２９４  接続スイッチ
２４１〜２４４  ディジタル減算器
２４５〜２４８、２８１〜２８４、６３３、６３５  判定器
２４９〜２５２、２８５〜２８８、２９５〜２９８、６３６〜６３９  切替スイッチ
２７１、６３４  切替スイッチ
４０１、４０３、４０７、４２２、７０３  判定器
４０４、４０８  論理積回路
４０５  ＣＲＣ検査回路
４０６、７０２  カウンタ
４３１〜４３４、５２１〜５２４、５７１〜５７４、７１１〜７１４  切替スイッチ
５８１〜５８４  合成回路
５９１、５９２  乗算器
５９３  加算器
【図１】
0004287536.tif 000002
【図２】
0004287536.tif 000003
【図３】
0004287536.tif 000004
【図４】
0004287536.tif 000005
【図５】
0004287536.tif 000006
【図６】
0004287536.tif 000007
【図７】
0004287536.tif 000008
【図８】
0004287536.tif 000009
【図９】
0004287536.tif 000010
【図１０】
0004287536.tif 000011
【図１１】
0004287536.tif 000012
【図１２】
0004287536.tif 000013
【図１３】
0004287536.tif 000014
【図１４】
0004287536.tif 000015
【図１５】
0004287536.tif 000016
【図１６】
0004287536.tif 000017
【図１７】
0004287536.tif 000018
【図１８】
0004287536.tif 000019
【図１９】
0004287536.tif 000020
【図２０】
0004287536.tif 000021
【図２１】
0004287536.tif 000022
【図２２】
0004287536.tif 000023
【図２３】
0004287536.tif 000024
【図２４】
0004287536.tif 000025
【図２５】
0004287536.tif 000026
【図２６】
0004287536.tif 000027
【図２７】
0004287536.tif 000028
【図２８】
0004287536.tif 000029